(57)【要約】【課題】  電源投入時における電源電圧の立ち上がり時間を短縮して、電圧印加対象である装置の損傷や性能劣化を防止できる高圧電源回路を提供する。【解決手段】  電源電圧を検出し、該検出結果である検出電圧を出力する電圧検出回路と、通常動作時、上記検出電圧を取り込み、該検出電圧にしたがって出力パルス列のパルス幅を調整して電源電圧を一定に制御し、電源投入時、電源電圧を所定の時間内に立ち上げるための、固定のパルス幅から成る初期パルス列を出力するＰＷＭ制御回路とを有する構成とする。【選択図】  図１
2005151636.tif 000002
【特許請求の範囲】
【請求項１】
所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整して前記電源電圧を一定に制御し、電源投入時、前記電源電圧を所定の時間内に立ち上げるための、固定のパルス幅から成る初期パルス列を出力するＰＷＭ制御回路と、
を有する電源回路。
【請求項２】
前記ＰＷＭ制御回路は、
前記電源投入開始から、前記電源電圧が規定値の８０％以上に到達する時間後に、前記検出電圧を用いた前記電源電圧の制御を開始する請求項１記載の電源回路。
【請求項３】
所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整することで前記電源電圧を一定に制御し、電源投入時、前記電源電圧を所定の時間内に立ち上げるための初期パルス列を出力するＰＷＭ制御回路と、
前記ＰＷＭ制御回路から前記初期パルス列を出力させるための、所定の一定電圧である擬似電圧を生成する擬似電圧発生回路と、
電源投入と同時に動作を開始し、所定の時間後にタイムアウト信号を出力するタイマ回路と、
前記擬似電圧及び前記検出電圧を入力とし、電源投入と同時に前記擬似電圧を前記ＰＷＭ制御回路に帰還信号として出力し、前記タイムアウト信号を受け取ると前記検出電圧を前記ＰＷＭ制御回路に帰還信号として出力する切り替えスイッチと、
を有する電源回路。
【請求項４】
前記タイマ回路は、
前記電源投入開始から、前記電源電圧が規定値の８０％以上に到達する時間後に、前記タイムアウト信号を出力する請求項３記載の電源回路。
【請求項５】
所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整することで前記電源電圧を一定に制御し、電源投入時、前記電源電圧を所定の時間内に立ち上げるための初期パルス列を出力するＰＷＭ制御回路と、
前記ＰＷＭ制御回路から前記初期パルス列を出力させるための、所定の一定電圧である擬似電圧を生成する擬似電圧発生回路と、
前記検出電圧と比較される所定の一定電圧である基準電圧を生成する基準電圧発生回路と、
前記擬似電圧及び前記検出電圧を入力とし、電源投入と同時に前記擬似電圧を前記ＰＷＭ制御回路に帰還信号として出力し、前記検出電圧が前記基準電圧を越えたときに前記検出電圧を前記ＰＷＭ制御回路に帰還信号として出力する切り替えスイッチと、
前記検出電圧と前記基準電圧とを比較し、該検出電圧が前記基準電圧を越えたとき前記切り替えスイッチの出力を前記検出電圧に切り替えるための切り替え信号を出力する比較器と、
を有する電源回路。
【請求項６】
前記基準電圧発生回路は、
前記電源電圧の規定値の８０％以上に相当する検出電圧と等しい基準電圧を生成する請求項５記載の電源回路。
【請求項７】
前記電源電圧は、
進行波管のカソード電極とヘリックス間に印加されるヘリックス電圧である請求項１乃至６のいずれか１項記載の電源回路。
【発明の詳細な説明】
【技術分野】
【０００１】
本発明は、高周波信号の増幅や発振に用いられる進行波管に所定の高電圧を供給するための電源装置に用いて好適な電源回路に関する。
【背景技術】
【０００２】
進行波管は電子銃から放出される電子ビームと高周波回路との相互作用により高周波信号の増幅や発振を行うための電子管である。この進行波管は、例えば、図４に示すように、電子ビーム５０を放出する電子銃１０と、電子銃１０から放出された電子ビーム５０と高周波信号（マイクロ波）とを相互作用させる高周波回路であるヘリックス２０と、ヘリックッス２０から出力された電子ビーム５０を捕捉するコレクタ電極３０と、電子銃１０から放出された電子ビーム５０をヘリックス２０内に導くアノード電極４０とを有する構成である。
【０００３】
電子銃１０は、熱電子を放出するカソード電極１１と、カソード電極１１に熱電子を放出させるための熱エネルギーを与えるヒータ１２と、熱電子を集束して電子ビーム５０を形成するためのウェネルト電極１３とを備えている。
【０００４】
図４に示す電子銃１０のカソード電極１１及びウェネルト電極１３には電源装置６０から負の高電圧（Ｅｈｅｌ）がそれぞれ供給され、ヒータ１２にはカソード電極１１の電位を基準にして所定のヒータ電圧Ｅｆが供給される。また、コレクタ電極３０にはカソード電極１１の電位を基準に正の高電圧（Ｅｃｏｌ）が供給され、アノード電極４０及びへリックス２０は進行波管１のケースに接続されてそれぞれ接地されている。なお、進行波管１には、アノード電極４０とヘリックス２０との接続が切り離され、アノード電極４０とヘリックス２０とに異なる電源電圧が供給される構成もある。
【０００５】
このような構成において、電子銃１０から放出された電子ビーム５０は、アノード電極４０により加速されてヘリックス２０内に導入され、ヘリックス２０に入力された高周波信号と相互作用しながら内部を進行する。ヘリックス２０から出力された電子ビーム５０はコレクタ電極３０で捕捉される。このとき、ヘリックス２０からは電子ビーム５０との相互作用により増幅された高周波信号が出力される。
【０００６】
図５は従来の電源回路の構成を示すブロック図である。なお、図５に示す電源回路は、図４に示した進行波管１のカソード電極１１に所定の電源電圧（ヘリックス電圧Ｅｈｅｌ）を供給するための構成例である。
【０００７】
図５に示すように、従来の電源回路は、所定の電源電圧に対応するパルス列を出力するＰＷＭ（Pulse Width Modulation）制御回路４０１と、ＰＷＭ制御回路４０１の出力信号にしたがってオンオフし、それよりも高い電圧から成るパルス列を生成するスイッチング素子４０２と、スイッチング素子４０２から出力されたパルス列をさらに昇圧するＨＶ（High Voltage）トランス４０３と、ＨＶトランス４０３の交流出力を整流する整流回路４０４と、整流回路４０４の出力電圧を検出し、該検出結果である検出電圧ＶｆｂをＰＷＭ制御回路４０１に帰還する電圧検出回路４０５とを有する構成である。
【０００８】
図５に示すＰＷＭ制御回路４０１は、電圧検出回路４０５から出力された検出電圧Ｖｆｂを帰還電圧として利用し、帰還電圧が一定となるように出力パルス幅を調整することで整流回路４０４から出力される電源電圧を一定に制御する。
【０００９】
ところで、上記進行波管１に電源を投入する際には、ヘリックス２０に過大な電流が流れて損傷することを防止するため、各電極に対する電圧印加の順序を制御する必要がある。また、ヘリックス電圧Ｅｈｅｌ（接地されたヘリックス２０を基準にカソード電極１１に印加する電圧）の立ち上がり時間を短縮する必要がある。
【００１０】
これは、各電極への印加電圧が規定値に到達していない過渡状態では、カソード電極１１から放出された電子がコレクタ電極３０で捕捉されずにヘリックス２０を通して電源装置６０に帰還するため、電力消費による発熱でヘリックス２０が損傷することを防止するためである。
【００１１】
このような問題を解決するための一例として、例えば、特許文献１では、各電極に対する電圧印加の順序を制御するためのシーケンス制御回路を備えた高圧電源装置が提案されている。
【００１２】
特許文献１には、アノード電極とヘリックスとに異なる電源電圧が供給される構成の進行波管において、小型のリードリレーを用いてアノード電圧の投入、遮断を制御する手法が記載されている。
【００１３】
上記アノード電極とヘリックスとに異なる電源電圧が供給される構成の進行波管では、電源投入時にカソード電極とアノード電極とを同電位に設定すればカソード電極からの電子の放出が抑制されるため、電源投入時の過渡状態におけるヘリックス電流を抑制できる。そのため、上記特許文献１では、カソード電極及びアノード電極を、ほぼ同電位（負の電位）に設定しつつ電源を立ち上げ、その後、アノード電極への印加電圧を、耐圧が低い小型のリードリレーを用いて規定電圧に切り替えることが記載されている。
【００１４】
しかしながら、アノード電極４０とへリックス２０とに共通の電源電圧（例えば、接地電位）が供給される進行波管１（図４参照）では、このようなシーケンス制御ができないため、電源投入と同時にカソード電極１１とアノード電極４０間に電位差が生じ、カソード電極１１から電子が大量に放出されてヘリックス２０に大きな電流が流れてしまう。したがって、ヘリックス電圧Ｅｈｅｌをヘリックス２０が損傷しない時間内に立ち上げる必要がある。このことはアノード電極とヘリックスとに異なる電源電圧が供給される構成の進行波管においても考慮する必要がある。
【特許文献１】特開平１１−１４９８８０号公報
【発明の開示】
【発明が解決しようとする課題】
【００１５】
上記したような従来の電源回路では、図５に示したように整流回路の出力電圧を電圧検出回路で検出し、その検出結果をＰＷＭ制御回路に帰還して電源電圧を一定に制御する構成であるため、電源投入時における電源電圧の立ち上がり時間が図５に示した電源回路を構成する各素子の特性に依存して決まってしまう。
【００１６】
したがって、電源投入時における電源電圧の立ち上がり時間の制御及び短縮が困難であり、電源投入時にヘリックスが損傷するおそれがあった。また、損傷に至らない場合でもヘリックスに大きな負荷がかかり、進行波管の性能が劣化して動作が不安定になることがあった。
【００１７】
本発明は上記したような従来の技術が有する問題点を解決するためになされたものであり、電源投入時における電源電圧の立ち上がり時間を短縮して、電圧印加対象である装置の損傷や性能劣化を防止できる電源回路を提供することを目的とする。
【課題を解決するための手段】
【００１８】
上記目的を達成するため本発明の電源回路は、所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整して前記電源電圧を一定に制御し、電源投入時、前記電源電圧を所定の時間内に立ち上げるための、固定のパルス幅から成る初期パルス列を出力するＰＷＭ制御回路と、
を有する構成である。
【００１９】
このとき、前記ＰＷＭ制御回路は、
前記電源投入開始から、前記電源電圧が規定値の８０％以上に到達する時間後に、前記検出電圧を用いた前記電源電圧の制御を開始してもよい。
【００２０】
また、本発明の電源回路の他の構成は、所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整することで前記電源電圧を一定に制御し、電源投入時、前記電源電圧を所定の時間内に立ち上げるための初期パルス列を出力するＰＷＭ制御回路と、
前記ＰＷＭ制御回路から前記初期パルス列を出力させるための、所定の一定電圧である擬似電圧を生成する擬似電圧発生回路と、
電源投入と同時に動作を開始し、所定の時間後にタイムアウト信号を出力するタイマ回路と、
前記擬似電圧及び前記検出電圧を入力とし、電源投入と同時に前記擬似電圧を前記ＰＷＭ制御回路に帰還信号として出力し、前記タイムアウト信号を受け取ると前記検出電圧を前記ＰＷＭ制御回路に帰還信号として出力する切り替えスイッチと、
を有する構成である。
【００２１】
このとき、前記タイマ回路は、
前記電源投入開始から、前記電源電圧が規定値の８０％以上に到達する時間後に、前記タイムアウト信号を出力してもよい。
【００２２】
さらに、本発明の電源回路の他の構成は、所定の電源電圧を生成するための電源回路であって、
前記電源電圧を検出し、該検出結果である検出電圧を出力する電圧検出回路と、
通常動作時、前記検出電圧を取り込み、該検出電圧にしたがって出力パルス列のパルス幅を調整することで前記電源電圧を一定に制御し、電源投入時、前記電源電圧を所定の時間内に立ち上げるための初期パルス列を出力するＰＷＭ制御回路と、
前記ＰＷＭ制御回路から前記初期パルス列を出力させるための、所定の一定電圧である擬似電圧を生成する擬似電圧発生回路と、
前記検出電圧と比較される所定の一定電圧である基準電圧を生成する基準電圧発生回路と、
前記擬似電圧及び前記検出電圧を入力とし、電源投入と同時に前記擬似電圧を前記ＰＷＭ制御回路に帰還信号として出力し、前記検出電圧が前記基準電圧を越えたときに前記検出電圧を前記ＰＷＭ制御回路に帰還信号として出力する切り替えスイッチと、
前記検出電圧と前記基準電圧とを比較し、該検出電圧が前記基準電圧を越えたとき前記切り替えスイッチの出力を前記検出電圧に切り替えるための切り替え信号を出力する比較器と、
を有する構成である。
【００２３】
このとき、前記基準電圧発生回路は、
前記電源電圧の規定値の８０％以上に相当する検出電圧と等しい基準電圧を生成してもよい。
【００２４】
なお、前記電源電圧は、
進行波管のカソード電極とヘリックス間に印加されるヘリックス電圧であることが好ましい。
【発明の効果】
【００２５】
上記のように構成された電源回路では、通常動作時、電圧検出回路から出力される検出電圧を取り込み、該検出電圧にしたがって出力パルス列のパルス幅を調整して電源電圧を一定に制御し、電源投入時、電源電圧を所定の時間内に立ち上げるための初期パルス列を出力するＰＷＭ制御回路を有することで、電源投入時に電源電圧を高速に立ち上げることが可能になるため、該電源電圧の印加対象である、例えば進行波管のヘリックスの劣化や損傷が防止され、性能劣化が防止される。
【発明を実施するための最良の形態】
【００２６】
次に本発明について図面を参照して説明する。
【００２７】
（第１の実施の形態）
図１は本発明の電源回路の第１の実施の形態の構成を示すブロック図である。なお、図１に示す電源回路は、図４に示した進行波管１のカソード電極１１に所定の電源電圧（ヘリックス電圧Ｅｈｅｌ）を供給するために用いて好適な構成である。図１に示す電源回路は、進行波管のコレクタ電極、アノード電極、及びヒータ、あるいはその他の高電圧を必要とする装置に所定の電源電圧を供給するための電源回路として用いることも可能である。
【００２８】
図１に示すように、第１の実施の形態の電源回路は、所定の電源電圧に対応するパルス列を出力する演算処理装置１０１と、演算処理装置１０１の出力信号にしたがってオンオフし、それよりも高い電圧から成るパルス列を生成するスイッチング素子１０２と、スイッチング素子１０２から出力されたパルス列の電圧をさらに昇圧するＨＶトランス１０３と、ＨＶトランス１０３の交流出力を整流する整流回路１０４と、整流回路１０４の出力電圧を検出し、該検出結果である検出電圧Ｖｆｂを演算処理装置１０１に帰還する電圧検出回路１０５とを有する構成である。なお、整流回路１０４には、交流電圧を整流すると共に整流後の電圧を倍圧する倍圧整流回路を用いてもよい。
【００２９】
演算処理装置１０１は、上記パルス列を出力するＰＷＭ制御回路１０６と、電圧検出回路１０５から出力されたアナログ電圧である検出電圧Ｖｆｂをデジタルデータに変換するＡ／Ｄ部１０７と、タイマ１０８とを備えた構成である。
【００３０】
ＰＷＭ制御回路１０６は、通常動作時、電圧検出回路１０５から出力される検出電圧ＶｆｂをＡ／Ｄ部１０７を介して取り込み、該検出電圧Ｖｆｂにしたがって出力パルス幅を調整することで整流回路１０４から出力される電源電圧を一定に制御する。演算処理装置１０１は、例えば、演算機能、Ａ／Ｄ変換機能及びメモリ機能を備え、予め格納されたプログラムにしたがってＰＷＭ制御回路１０６の処理を実行すると共に、Ａ／Ｄ部１０７及びタイマ１０８の処理をそれぞれ制御するＤＳＰ（Digital Signaling Processor）あるいはマイクロコンピュータ等によって構成される。
【００３１】
このような構成において、電源電圧（ヘリックス電圧Ｅｈｅｌ）の立ち上げ時、演算処理装置１０１は、ＰＷＭ制御回路１０６に電圧検出回路１０５から出力される検出電圧Ｖｆｂを用いた出力パルス幅の制御を停止させ、予め設定された固定のパルス幅を有する初期パルス列を出力させる。このとき、ＰＷＭ制御回路１０６の出力パルス幅は、ヘリックス２０が損傷しない時間内で電源電圧（Ｅｈｅｌ）を立ち上げるのに必要なエネルギー量が整流回路１０４から出力される値に設定される。
【００３２】
演算処理装置１０１は、電源投入と同時にタイマ１０８を動作させ、予め設定された所定時間経過後に、ＰＷＭ制御回路１０６に対して電圧検出回路１０５から出力された検出電圧Ｖｆｂを帰還させ、ＰＷＭ制御回路１０６による検出電圧Ｖｆｂを用いた電源電圧の制御を開始させる。ここで、タイマ１０８のタイムアウト時間は、例えば、上記初期パルス列の出力状態で、電源投入開始から該電源電圧の規定値の８０％以上に到達するまでの時間に設定される。
【００３３】
本実施形態の電源回路によれば、電源投入時にヘリックス電圧を高速に立ち上げることが可能になるため、ヘリックスの劣化や損傷が防止され、進行波管の性能劣化が防止される。
【００３４】
（第２の実施の形態）
図２は本発明の電源回路の第２の実施の形態の構成を示すブロック図である。なお、図２に示す電源回路は、図４に示した進行波管１のカソード電極１１に所定の電源電圧（ヘリックス電圧Ｅｈｅｌ）を供給するために用いて好適な構成である。図２に示す電源回路は、進行波管のコレクタ電極、アノード電極、及びヒータ、あるいはその他の高電圧を必要とする装置に所定の電源電圧を供給するための電源回路として用いることも可能である。
【００３５】
図２に示すように、第２の実施の形態の進行波管用電源装置は、所定の電源電圧に対応するパルス列を出力するＰＷＭ制御回路２０１と、ＰＷＭ制御回路２０１の出力信号にしたがってオンオフし、それよりも高い電圧から成るパルス列を生成するスイッチング素子２０２と、スイッチング素子２０２から出力されたパルス列の電圧をさらに昇圧するＨＶトランス２０３と、ＨＶトランス２０３の交流出力を整流する整流回路２０４と、整流回路２０４の出力電圧を検出し、該検出結果である検出電圧Ｖｆｂを出力する電圧検出回路２０５と、電源電圧の立ち上げ時にＰＷＭ制御回路２０１への帰還電圧として利用される、所定の一定電圧である擬似電圧Ｖｐを生成する擬似電圧発生回路２０６と、電源投入と同時に動作を開始し、所定の時間後にタイムアウト信号を出力するタイマ回路２０８と、タイマ回路２０８の出力信号にしたがって検出電圧Ｖｆｂまたは擬似電圧Ｖｐのいずれか一方をＰＷＭ制御回路２０１に出力する切り替えＳＷ２０７とを有する構成である。なお、整流回路２０４には、交流電圧を整流すると共に整流後の電圧を倍圧する倍圧整流回路を用いてもよい。
【００３６】
このような構成において、電源電圧（ヘリックス電圧Ｅｈｅｌ）の立ち上げ時、切り替えＳＷ２０７は、まず擬似電圧発生回路２０６で生成された擬似電圧ＶｐをＰＷＭ制御回路２０１に供給する。ＰＷＭ制御回路２０１は、該擬似電圧Ｖｐを帰還電圧として用いて初期パルス列のパルス幅を制御する。このとき、擬似電圧Ｖｐは、ＰＷＭ制御回路２０１から出力される初期パルス列のパルス幅が、ヘリックスが破損しない時間内で電源電圧を立ち上げるのに必要なエネルギー量が整流回路２０４から出力されるように、通常動作時に電圧検出回路２０５から出力される検出電圧Ｖｆｂよりも小さな値に設定される。
【００３７】
タイマ回路２０８は、電源投入と同時に動作を開始し、予め設定された所定時間経過後にタイムアウト信号を出力する。切り替えＳＷ２０７は、タイマ回路２０８からのタイムアウト信号を検出すると、電圧検出回路２０５から出力された検出電圧ＶｆｂをＰＷＭ制御回路２０１に供給する。ＰＷＭ制御回路２０１は、切り替えＳＷ２０７から検出電圧Ｖｆｂを受け取ると、該検出電圧Ｖｆｂを帰還電圧として用いて出力パルス列のパルス幅による電源電圧の制御を開始する。
【００３８】
ここで、タイマ回路２０８のタイムアウト時間は、例えば、上記ＰＷＭ制御回路２０１に対する擬似電圧Ｖｐの帰還状態で、電源投入開始から規定値の８０％以上に到達するまでの時間に設定される。
【００３９】
本実施形態の電源回路によれば、第１の実施の形態と同様に、電源投入時にヘリックス電圧を高速に立ち上げることが可能になるため、ヘリックスの劣化や損傷が防止され、進行波管の性能劣化が防止される。
【００４０】
（第３の実施の形態）
図３は本発明の電源回路の第３の実施の形態の構成を示すブロック図である。なお、図３に示す電源回路は、図４に示した進行波管１のカソード電極１１に所定の電源電圧（ヘリックス電圧Ｅｈｅｌ）を供給するために用いて好適な構成である。図３に示す電源回路は、進行波管のコレクタ電極、アノード電極、及びヒータ、あるいはその他の高電圧を必要とする装置に所定の電源電圧を供給するための電源回路として用いることも可能である。
【００４１】
図３に示すように、第３の実施の形態の進行波管用電源装置は、所定の電源電圧に対応するパルス列を出力するＰＷＭ制御回路３０１と、ＰＷＭ制御回路３０１の出力信号にしたがってオンオフし、それよりも高い電圧から成るパルス列を生成するスイッチング素子３０２と、スイッチング素子３０２から出力されたパルス列の電圧をさらに昇圧するＨＶトランス３０３と、ＨＶトランス３０３の交流出力を整流する整流回路３０４と、整流回路３０４の出力電圧を検出し、該検出結果である検出電圧Ｖｆｂを出力する電圧検出回路３０５と、電源投入時にＰＷＭ制御回路３０１への帰還電圧として利用される、所定の一定電圧である擬似電圧Ｖｐを生成する擬似電圧発生回路３０６と、所定の一定電圧である基準電圧Ｖｒｅｆを生成する基準電圧発生回路３０８と、検出電圧Ｖｆｂと基準電圧Ｖｒｅｆとを比較し、その比較結果を出力する比較器３０９と、比較器３０９の出力にしたがって検出電圧Ｖｆｂまたは擬似電圧Ｖｐのいずれか一方をＰＷＭ制御回路３０１に出力する切り替えＳＷ３０７とを有する構成である。なお、整流回路３０４には、交流電圧を整流すると共に整流後の電圧を倍圧する倍圧整流回路を用いてもよい。
【００４２】
このような構成において、電源電圧（ヘリックス電圧Ｅｈｅｌ）の立ち上げ時、切り替えＳＷ３０７は、まず擬似電圧発生回路３０６で生成された擬似電圧ＶｐをＰＷＭ制御回路３０１に供給する。ＰＷＭ制御回路３０１は、該擬似電圧Ｖｐを帰還電圧として用いて初期パルス列のパルス幅を制御する。このとき、擬似電圧Ｖｐは、ＰＷＭ制御回路３０１から出力される初期パルス列のパルス幅が、ヘリックスが破損しない時間内で電源電圧を立ち上げるのに必要なエネルギー量が整流回路３０４から出力されるように、通常動作時に電圧検出回路３０５から出力される検出電圧Ｖｆｂよりも小さな値に設定されている。
【００４３】
基準電圧発生回路３０８で生成される基準電圧Ｖｒｅｆは、例えば、電源電圧（ヘリックス電圧Ｅｈｅｌ）の規定値の８０％以上に相当する検出電圧と等しい値に設定され、比較器３０９は検出電圧Ｖｆｂが基準電圧Ｖｒｅｆを越えたときに切り替えＳＷ３０７から検出電圧Ｖｆｂを出力させるための切り替え信号を出力する。
【００４４】
切り替えＳＷ２０７は、比較器３０９から切り替え信号を受け取ると、電圧検出回路３０５から出力された検出電圧ＶｆｂをＰＷＭ制御回路３０１に供給する。ＰＷＭ制御回路３０１は、切り替えＳＷ２０７から検出電圧Ｖｆｂを受け取ると、該検出電圧Ｖｆｂを帰還電圧として用いて出力パルス列のパルス幅による電源電圧の制御を開始する。
【００４５】
本実施形態の進行波管用電源装置によれば、第１、第２の実施の形態と同様に、電源投入時にヘリックス電圧を高速に立ち上げることが可能になるため、ヘリックスの劣化や損傷が防止され、進行波管の性能劣化が防止される。
【図面の簡単な説明】
【００４６】
【図１】本発明の電源回路の第１の実施の形態の構成を示すブロック図である。
【図２】本発明の電源回路の第２の実施の形態の構成を示すブロック図である。
【図３】本発明の電源回路の第３の実施の形態の構成を示すブロック図である。
【図４】進行波管の一構成例を示す模式図である。
【図５】従来の電源回路の構成を示すブロック図である。
【符号の説明】
【００４７】
１    マイクロ波管
１０    電子銃
１１    カソード電極
１２    ヒータ
１３    ウェネルト電極
２０    ヘリックス
３０    コレクタ電極
４０    アノード電極
５０    電子ビーム
６０    電源装置
１０１    演算処理装置
１０２、２０２、３０２    スイッチング素子
１０３、２０３，３０３    ＨＶトランス
１０４、２０４、３０４    整流回路
１０５、２０５、３０５    電圧検出回路
１０６、２０１、３０１    ＰＷＭ制御回路
１０７    Ａ／Ｄ部
１０８    タイマ
２０６、３０６    擬似電圧発生回路
２０７、３０７    切り替えＳＷ
２０８    タイマ回路
３０８    基準電圧発生回路
３０９    比較器
【図１】
2005151636.tif 000003
【図２】
2005151636.tif 000004
【図３】
2005151636.tif 000005
【図４】
2005151636.tif 000006
【図５】
2005151636.tif 000007